(57)【要約】本発明は、磁気センサを用いた一体型アクチュエータに関する。本発明の１様態であるモータにより回転するギヤに関する絶対角及び相対角の少なくとも１つを測定する測定器具において、磁石と、前記磁石の磁場のサイズ及び方向の少なくとも１つが、前記磁石の磁性が前記ギヤの回転によって変化することを感知する磁気センサとを含む。【選択図】図９
2020528995.tif 000002
【特許請求の範囲】
【請求項１】
モータにより回転するギヤに関する絶対角及び相対角の少なくとも１つを測定する測定器具において、
磁石と、
前記磁石の磁場のサイズ及び方向の少なくとも１つが、前記磁石の磁性が、前記ギヤの回転によって変化することを測定する磁気センサと
を含むことを特徴とする測定器具。
【請求項２】
前記磁石は、断面２極磁石であることを特徴とする請求項１に記載の測定器具。
【請求項３】
前記磁気センサは、複数であり、
前記複数の磁気センサは、前記磁石を基準に所定の間隔で離隔配置されることを特徴とする請求項１に記載の測定器具。
【請求項４】
前記磁石は、円状の断面２極磁石であり、
前記磁気センサは、複数であり、
前記複数の磁気センサは、前記円状の断面２極磁石に隣接して、所定の間隔で離隔配置されることにより、前記ギヤの回転によって変化する値の歪を補償することを特徴とする請求項１に記載の測定器具。
【請求項５】
前記測定器具は、中空状のアクチュエータに適用されることを特徴とする請求項１に記載の測定器具。
【請求項６】
モータと、
前記モータにより回転するギヤと、
前記ギヤと連結されるギヤボックスと、
前記ギヤボックスの少なくとも一部に挿入され、前記モータによって回転する前記ギヤに関する絶対角及び相対角の少なくとも１つを測定する請求項１による測定器具と
を含むことを特徴とするアクチュエータ。
【請求項７】
前記ギヤは、複数であり、
前記モータと連結される入力側ケースと、
前記複数のギヤのうち、前記入力側ケースと連結される第１の内歯歯車と、
前記複数のギヤのうち、外歯歯車及び前記入力側ケースに固定連結され、前記第１の内歯歯車と一端が噛み合って回転する偏心シャフトと、
前記複数のギヤのうち、前記偏心シャフトの他端と噛み合って回転する第２の内歯歯車と、
前記第２の内歯歯車に伝達された力を出力する出力部と、
前記出力部が通過される軸受を備える出力ケースと
を含むことを特徴とする請求項６に記載のアクチュエータ。
【請求項８】
前記入力ケースと前記第１の内歯歯車、前記第２の内歯歯車と出力部、及び前記ギヤボックスと測定器具の少なくとも一部は、一体型からなることを特徴とする請求項７に記載のアクチュエータ。
【請求項９】
前記偏心シャフト、外歯歯車、出力部、ギヤボックス、及び測定器具の少なくとも一部は、中空状からなることを特徴とする請求項７に記載のアクチュエータ。
【発明の詳細な説明】
【技術分野】
【０００１】
本発明は、磁気センサを用いた一体型アクチュエータに関する。より詳しくは、多数の磁気センサを用いて、多極着磁磁石や精密ギヤを要しない中空状磁気式エンコーダ、及び前記エンコーダを一体型アクチュエータと結合して製品の性能とサイズを画期的に改善することができる磁気センサを用いた一体型アクチュエータに関する。
【背景技術】
【０００２】
最近、産業社会において、単調な繰返し作業や潜在的に危険な作業は、ロボットを適用して生産性を増やし、人間は、より効率性の高い業務に再配置されている実情である。 
【０００３】
一例として、工場の組立ラインでは、コンベアーベルトが設置されて必要部品を運送し、組立工程のためには、部品の上下車が必須であり、このような作業を過去では手動で行ったことにより、脊椎圧迫のような障害を誘発していた。 
【０００４】
近年には、このような作業が多関節ロボットが代替することになって、安全性と生産性が大幅に向上している。
【０００５】
一方、ロボットの関節には、トルクを与えるモータだけでなく、モータのトルク増加のための減速機、また、関節の回転角度測定のための装置が共に設置される。 
【０００６】
但し、従来には、前記の部品をそれぞれ製作して組立てる方式を適用することで、組立時に誤差が生じるだけでなく、小型化も難しいという不都合があった。 
【０００７】
近年には、このような問題点を解決するため、前記の部品を内蔵したロボットアクチュエータが販売されている。
【０００８】
モータ-ギヤ-エンコーダの一体型アクチュエータを用いる場合、ロボット関節の製作が容易であるという特長を有している。 
【０００９】
従来の一体型アクチュエータは、出力軸の位置測定のために、オン・アクシス方式（軸内方式）で磁気センサを搭載しており、磁気センサの搭載のための更なるメカニズムの設計方法が、一部業者によって先取りされている状況である。
【００１０】
しかし、現在の磁気式エンコーダ技術は、オン・アクシス方式よりは、中空軸デザインが可能なオフ・アクシス方式（軸外方式）が飛躍的に発展しているので、オフ・アクシス方式を適用した磁気式エンコーダの技術と、これを搭載した一体型アクチュエータ開発の必要性が生じている。
【先行技術文献】
【特許文献】
【００１１】
特許文献１：大韓民国特許庁登録番号第10-1308738号
特許文献２：大韓民国特許庁登録番号第10-2013-0045692号
【発明の開示】
【発明が解決しようとする課題】
【００１２】
本発明は、前記のような問題点を解決するために、磁気センサを用いた一体型アクチュエータを提供することである。
【００１３】
具体的に、本発明は、多数の磁気センサを用いて、多極着磁磁石や精密ギヤを要しない中空状の磁気式エンコーダ、及び前記エンコーダを一体型アクチュエータと結合して製品の性能とサイズを画期的に改善することができる磁気センサを用いた一体型アクチュエータを提供することである。
【課題を解決するための手段】
【００１４】
前記の技術的課題を達成するための本発明の一様態である測定器具は、モータにより回転するギヤに関する絶対角及び相対角の少なくとも１つを測定する測定器具において、磁石と、前記磁石の磁場のサイズ及び方向の少なくとも１つが、前記磁石の磁性が、前記ギヤの回転によって変化することを測定する磁気センサとを含むことを特徴とする。
【００１５】
前記磁石は、断面２極磁石である。
【００１６】
前記磁気センサは、複数であり、前記複数の磁気センサは、前記磁石を基準に所定の間隔で離隔配置される。
【００１７】
前記磁石は、円状の断面２極磁石であり、前記磁気センサは、複数であり、前記複数の磁気センサは、前記円状の断面２極磁石に隣接して、所定の間隔で離隔配置されることにより、前記ギヤの回転によって変化する値の歪を補償する。
【００１８】
前記測定器具は、中空状のアクチュエータに適用される。
【００１９】
また、前記の技術的課題を達成するための本発明の他の様態であるアクチュエータは、モータと、前記モータにより回転するギヤと、前記ギヤと連結されるギヤボックスと、
前記ギヤボックスの少なくとも一部に挿入され、前記モータによって回転する前記ギヤに関する絶対角及び相対角の少なくとも１つを測定する測定器具とを含むことを特徴とする。
【００２０】
前記ギヤは、複数であり、前記モータと連結される入力側ケースと、前記複数のギヤのうち、前記入力側ケースと連結される第１の内歯歯車と、
前記複数のギヤのうち、外歯歯車及び前記入力側ケースに固定連結され、前記第１の内歯歯車と一端が噛み合って回転する偏心シャフトと、前記複数のギヤのうち、前記偏心シャフトの他端と噛み合って回転する第２の内歯歯車と、前記第２の内歯歯車に伝達された力を出力する出力部と、前記出力部が通過される軸受を備える出力ケースとを含む。
【００２１】
前記入力ケースと前記第１の内歯歯車、前記第２の内歯歯車と出力部、及び前記ギヤボックスと測定器具の少なくとも一部は、一体型からなる。
【００２２】
前記偏心シャフト、外歯歯車、出力部、ギヤボックス、及び測定器具の少なくとも一部は、中空状からなる。
【発明の効果】
【００２３】
本発明は、磁気センサを用いた一体型アクチュエータを提供することができる。
【００２４】
具体的に、本発明は、多数の磁気センサを用いて、多極着磁磁石や精密ギヤを要しない中空状の磁気式エンコーダ、及び前記エンコーダを一体型アクチュエータと結合して、製品の性能とサイズを画期的に改善可能な磁気センサを用いた一体型アクチュエータを提供することができる。
【００２５】
一方、本発明で得られる効果は、以上で言及した効果に制限されず、言及していない他の効果は、後述する本発明が属する技術の分野における通常の知識を有する者にとって明確に理解されるだろう。
【図面の簡単な説明】
【００２６】
【図１】図１は、従来のサイクロイド歯車の一例を示す図である。
【図２】図２は、本発明において、出力部に別のセンサ支持台を設置し、磁気エンコーダのようなセンサを用いて、位置を測定する構造の一例を示す図である。
【図３】図３は、図２における構造を改善して、減速機とシャフトを貫通する孔を開け、中空状のシャフト内に回転ロッドを設置した一例を示す図である。
【図４】図４は、本発明において、超小型のサイクロイド減速機を用いた一体型アクチュエータの一例を示す図である。
【図５】図５は、磁気センサにおいて、オン・アクシス方式とオフ・アクシス方式を説明するための図である。
【図６】図６は、本発明における一体型アクチュエータの動作を説明するための図である。
【図７ａ】図７ａは、本発明において、オン・アクシス方式の磁気センサを搭載した一体型アクチュエータの一例を示す図である。
【図７ｂ】図７ｂは、本発明において、オン・アクシス方式の磁気センサを搭載した一体型アクチュエータの一例を示す図である。
【図７ｃ】図７ｃは、本発明において、オン・アクシス方式の磁気センサを搭載した一体型アクチュエータの一例を示す図である。
【図８】図８は、従来の中空軸又はスパーギヤを用いる構造と、本発明における磁気センサを用いた一体型アクチュエータの構造とを示す図である。
【図９】図９は、本発明における磁気センサを用いた一体型アクチュエータを示す図である。
【図１０】図１０は、本発明における磁気センサを用いた一体型アクチュエータを示す図である。
【図１１】図１１は、本発明における中空状のアクチュエータの一例を示す図である。
【発明を実施するための形態】
【００２７】
近年、産業社会において、単調な繰返し作業や潜在的に危険な作業は、ロボットを適用して生産性を増やし、人間は、より効率性の高い業務に再配置されている実情である。 
【００２８】
ロボットの関節には、トルクを与えるモータだけでなく、モータのトルク増加のための減速機、また、関節の回転角度測定のための装置が共に設置される。 
【００２９】
但し、従来には、前記の部品を別々製作して組立てる方式を適用することで、組立時に誤差が生じるだけでなく、小型化も不利であるという不都合があった。 
【００３０】
このような問題点を解決するために、近年には、前記の部品を内蔵したロボットアクチュエータが販売されている。
【００３１】
モータ-ギヤ-エンコーダの一体型アクチュエータを用いる場合、ロボット関節の製作が容易であるというメリットがある。 
【００３２】
図１には、本発明に関する従来のサイクロイド歯車の一例を示している。
【００３３】
図１に示しているように、従来のサイクロイド歯車１００は、ケースの内周面を内歯歯車(Internal gear、３０)として用い、内歯歯車３０と接するように、２枚の外歯歯車(external gear、４０、５０)が設けられ、外歯歯車４０、５０を貫通する各溝の複数の出力ピン(Output pins、６０)を用いて、出力部(Output carrier、７０)と結合する複雑な製作・組立過程が求められるので、小型化に不利であった。
【００３４】
その上、減速機出力部７０の回転角は、ロボット関節の回転角に該当するので、このための測定方法が共に備えなければならない。 
【００３５】
図２は、本発明において、出力部に別のセンサ支持台を設け、磁気エンコーダのようなセンサを用いて、位置を測定する構造の一例を示している。
【００３６】
図２に示しているように、出力部７０に別のセンサ支持台２１０を設置し、磁気エンコーダのようなセンサ１３０ａを用いて、位置を測定することができる。 
【００３７】
しかし、図２の構造では、センサ１３０ａを支持する構造物２１０によって、関節の３６０度回転が不可であるだけでなく、軸方向の長さが増加して、軸一致の構造を有する多関節ロボットに使用するためには、デザインメリットが落ちるという重大な問題点が存在した。
【００３８】
これを解決するための先行技術が、公開特許１０−２０１３−００４５６９２に示されており、図３を参照して説明する。
【００３９】
図３は、図２の構造を改善して、減速機とシャフトを貫通する孔を開け、中空状のシャフト内に回転ロッドを設置した一例を示している。
【００４０】
図３に示しているように、減速機９０とシャフト２２０を貫通する孔を開け、中空状のシャフト内に回転ロッドを設置している。 
【００４１】
しかし、図３のような構造では、中空状のシャフトが必ず使用されるべきであるので、従来の中空状のアクチュエータと同様に、軸剛性が弱くなることはもちろん、シャフト内に回転ロッドが設置されることにより、中空状のシャフト内部を配線連結などとして活用可能なメリットを失っている。
【００４２】
図４は、本発明における超小型のサイクロイド減速機を用いた一体型アクチュエータの一例を示している。
【００４３】
図４に示しているように、アクチュエータに含まれる超小型のサイクロイド減速機は、従来のアクチュエータに適用されているサイクロイド減速機の構造、例えば、図１とは異なる形状を有する。 
【００４４】
具体的に、本発明によると、モータ１に連結される入力側ケース２に、偏心シャフト３を軸受で固定し、偏心シャフト３は、２段で構成される外歯歯車４と同様に、軸受で固定する。
【００４５】
また、外歯歯車４の１段と２段は各々、入力側ケース２に取り付けられる第１の内歯歯車５と、出力部６に取り付けられる第２の内歯歯車７とに噛み合って回転し、第２の内歯歯車７が取り付けられた出力部６は、出力側ケース８に固定したクロスローラベアリング９を貫通する。 
【００４６】
ここで、歯車の摩擦力をより減らすためには、互いに噛み合う外歯歯車４と第１の内歯歯車５、あるいは、外歯歯車と第２の内歯歯車７の間に、ピンローラベアリングを更に設けることができる。 
【００４７】
そこで、図４における本発明の構造は、前述した従来の図１の構造とは異なり、多数の出力ピンが平板歯車を貫通する必要がないので、組立が簡単であるだけでなく、サイズを画期的に小型化することができる。
【００４８】
一方、前述したアクチュエータに適用されるエンコーダとしては、ロータリエンコーダ、光学式エンコーダ、磁気式エンコーダなどが挙げられる。
【００４９】
ロータリエンコーダは、回転方向の機械的変位量をデジタル信号に変換する角度測定センサであって、近年には、工作機械やロボットの高性能制御のために、回転部の速度・位置の精度高い測定が要求される分野で使用され、その重要性が大きくなっている。 
【００５０】
また、光学式エンコーダは、回転軸に一定の間隔で配置されたスリットを有するディスクと光検出器(発光部と受光部)を用いる。 
【００５１】
ここで、発光部の光がディスクに設けられたスリットを通過して受光部に到達すると、検出器を用いて、ディスクのパターンを出力する方式で、スリットの形状によって、インクリメンタル型とアブソリュート型に区分することができる。 
【００５２】
アブソリュート型の光学式エンコーダは、出力信号線の数が増加するだけでなく、ディスクのサイズが相対的に大きいという不都合を有している。 
【００５３】
これに対しては、以下の磁気センサを用いた磁気式エンコーダを使用可能である。
【００５４】
磁気式エンコーダは、使用する磁気センサの種類や磁石の種類によって、様々な方式で回転軸の位置を検出することができる。 
【００５５】
磁気センサの種類には、ホールセンサや磁気抵抗が使われており、近年には、半導体集積技術が適用されて、半導体ＩＣ素子の形としても販売されている。 
【００５６】
図５は、磁気センサにおいて、オン・アクシス方式とオフ・アクシス方式を説明するための図である。
【００５７】
図５に示しているように、磁気センサの設置方法は、センサを回転軸の中心部に設置するオン・アクシス方式と、回転軸の中心部と離隔した距離に設置するオフ・アクシス方式とに分けられる。 
【００５８】
図５に示しているように、オフ・アクシス方式は、回転角を測定しようとする回転軸と離れた距離に磁気センサを設置するため、中空状の回転軸を使用可能である。しかし、測定信号の歪とノイズがオン・アクシス方式に比して、相対的に増加することと知られている。
【００５９】
図６は、本発明における一体型アクチュエータの動作を説明するための図である。
【００６０】
図６の(ａ)〜(ｃ)に示しているように、モータは、DC/BLDC/PMSMで具現可能であり、ギヤは、ハーモニック歯車（Harmonic gear） / サイクロイド歯車（Cycloid gear） /遊星歯車（Planetary gear）で具現可能である。
【００６１】
また、位置測定センサ(エンコーダ)が用いられるが、入力軸相手位置(Incremental)のエンコーダは、モータ駆動用の高分解能で具現可能であり、出力軸絶対位置(Absolute)のエンコーダは、ロボット関節の回転角を測定する用途として用いられる。
【００６２】
従来の一体型アクチュエータは、出力軸位置測定のために、主に、オン・アクシス方式で磁気センサを搭載しており、磁気センサの搭載のための更なるメカニズムの設計方法が共に開発されている。 
【００６３】
一方、本発明における方法は、オフ・アクシス方式を適用することにより、従来の一体型アクチュエータと比較して、小型化及び中空状のデザインが可能であるというメリットを有しており、オフ・アクシス方式の不都合(信号歪)は、多数の磁気センサを用いて克服する。
【００６４】
本発明の具体的な説明に先立って、オン・アクシス方式の磁気センサを搭載した一体型アクチュエータについて説明する。
【００６５】
図７ａ〜図７ｃには、本発明において、オン・アクシス方式の磁気センサを搭載した一体型アクチュエータの一例を示している。
【００６６】
図７ａに示しているように、多数のスパーギヤを設置し、スパーギヤのギヤ比を組み合わせて、出力軸と１:１の回転比を維持する２つのスパーギヤ３４０、３５０の回転軸にそれぞれ、磁気センサ３４３ｂ、３５３ｂを設置するオン・アクシス方式が示されている。
【００６７】
図７ａにおける構造は、中空状のデザインにメリットを有していることに対して、多数のスパーギヤの使用による重さの増加と構造が複雑であるという不都合を有している。
【００６８】
また、図７ｂには、ギヤを貫通する中空状のシャフトを設置し、中空状のシャフト内に回転ロッドを貫通して、回転ロッド６００の端に磁気センサを設置するオン・アクシス方式が示されている。
【００６９】
図７ｂにおける構造は、中空状のデザインが容易な２段サイクロイド歯車の内部を用いるユニックな方式であるが、回転ロッドの設置によって、中空状のデザインが不可であるという不都合を有している。
【００７０】
また、図７ｃに示しているように、超小型のサイクロイド減速機の出力部６に、一部をスパーギヤ１０形状に成形し、ここに噛合わせる他のスパーギヤ１１側に、絶対角や相対角を検出するための角度検出部、ここでは、磁気エンコーダ１２と磁石１３を設置した構造が示されている。
【００７１】
そこで、図７ｃにおける方法は、サイクロイド減速機の出力部６に、動力伝達構造物の一部を共に成形する方法と見なされる。 
【００７２】
すなわち、図７ｃにおいては、サイクロイド歯車の出力部材にスパーギヤ形状を成形し、出力軸と１:１の回転比を持つスパーギヤの回転軸に磁気センサを設置するオン・アクシス方式を示している。 
【００７３】
ここでは、軸方向の長さが減少し、中空状のデザインが可能であるというメリットがあるが、動力伝達のための出力部材のスパー形状とスパーギヤの摩耗によって、位置測定誤差が生じるという不都合がある。
【００７４】
図７ａ〜図７ｃで説明したように、更なるメカニズム(ギヤ、回転ロッド)が必要であるにもかかわらず、オフ・アクシス方式ではなく、オン・アクシス方式が使われている。
【００７５】
すなわち、多極着磁磁石を用いたオフ・アクシス方式のような場合、多極着磁磁石(multi pole magnet)の製作は、断面２極磁石(two pole magnet)に比べて相対的に難しく、絶対位置の検出が難しいという不都合がある。
【００７６】
Ｎ極とＳ極を特殊な形状に配列、位相差を持っている２つのリングマグネットを用いるので、製作が難しく、絶対位置の検出が困難である。
【００７７】
また、断面２極磁石を用いたオフ・アクシス方式もあるが、磁石からの隔離距離によって生じる高調波誤差と非線形性を克服するために、比較的複雑な信号処理方法が求められるという問題点がある。
【００７８】
結果として、現状では、コストアップの主原因である多数の磁気センサを用いて多極着磁磁石や精密ギヤを要しない中空状の磁気式エンコーダを開発し、一体型アクチュエータと結合して、製品の性能とサイズを画期的に改善した製品が必要である。
【００７９】
そこで、本発明は、前述した問題点を解決するために、磁気センサを用いた一体型アクチュエータを提供しようとする。
【００８０】
具体的に、本発明は、多数の磁気センサを用いて、多極着磁磁石や精密ギヤを要しない中空状の磁気式エンコーダ、及び前記エンコーダを一体型アクチュエータと結合して、製品の性能とサイズを画期的に改善することができる磁気センサを用いた一体型アクチュエータを提供している。
【００８１】
図８は、従来の中空軸又はスパーギヤを用いる構造と、本発明における磁気センサを用いた一体型アクチュエータ構造とを示している。
【００８２】
図８の(ａ)及び(ｂ)を参照すると、更なるメカニズムとオン・アクシス磁気センサを用いる方式として、中空軸を用いる方式、及びスパーギヤを用いる方式が示されている。
【００８３】
また、図８の(ｃ)を参照すると、本発明における構造として、信号処理アルゴリズム、断面２極磁石３４００、及び多数のオフ・アクシス磁気センサ３６００を用いる方式が示されている。
【００８４】
図９及び図１０は、本発明における磁気センサを用いた一体型アクチュエータを示している。
【００８５】
図９及び図１０に示しているように、本発明におけるオフ・アクシス方式は、前記の不都合を解消することができるため、従来のオン・アクシス方式を十分代替可能である。
【００８６】
具体的に、本発明における方法は、多数の磁気センサ３６００を用いて、オフ・アクシス方式の限界点を克服している。 
【００８７】
図９に示しているように、本発明の構造及び方法の特徴は、以下の通りである。
【００８８】
まず、断面２極磁石３４００を用いる。
【００８９】
多極着磁磁石は、断面２極磁石３４００と比較して、比較的複雑な形状の着磁ヨークを用いて製作されるので、生産が難しいだけでなく、絶対位置の測定のためには、特殊な形状の極(pole)配置が必要である。
【００９０】
これに対して、断面２極磁石３４００は、比較的製作が簡単であり、絶対位置の測定が容易であるため、製品の生産性と価格競争力を向上することができる。
【００９１】
ついで、本発明では、信号処理部を用いることになるが、断面２極磁石３４００を用いる場合、磁束と直角方向のセンサの出力が微弱であって、測定エラーが生じる問題点、及びノイズによって信号の歪が発生する問題点を解消することができる。
【００９２】
すなわち、本発明における方法は、多数の磁気センサ３６００を磁石３４００の周囲に特定の間隔で配置して、信号の歪を補償することができる信号処理技法を適用する。
【００９３】
また、本発明では、磁気センサ３６００を出力端ではない入力端に配置して、感知された情報を更に用いる実施例が適用可能である。
【００９４】
また、入力端に配置されるセンサは、磁気センサ３６００の他に、入力端の動きを感知する他の種類のセンサ(光センサ)を利用可能である。 
【００９５】
最後に、本発明では、中空状のデザインへの製作が可能であるという特徴がある。
【００９６】
すなわち、図７ａ〜図７ｃで言及した更なるメカニズム(回転ロッド、ギヤなど)が不要であるので、製品の重さと設計の複雑度を大きく減少することができる。
【００９７】
特に、一体型アクチュエータに搭載する場合、出力軸に磁気センサ３６００とリング磁石３４００とが直接設置されて、コンパクトなサイズの中空状のデザインが可能である。
【００９８】
例えば、図９における入力軸の回転角測定方法は、従来の方法と同様に、オン・アクシス方式で示しているが、これは、状況によって除くか、他の方式と混用可能である。 
【００９９】
具体的に、本発明の方法が適用されたコンパクトな中空状のアクチュエータの実施例を図１１に示す。
【０１００】
そこで、本発明は、磁気センサを用いた一体型アクチュエータを提供することができる。
【０１０１】
具体的に、本発明は、多数の磁気センサを用いて、多極着磁磁石や精密ギヤを要しない中空状の磁気式エンコーダ、及び前記エンコーダを一体型アクチュエータと結合して、製品の性能とサイズを画期的に改善することができる磁気センサを用いた一体型アクチュエータを提供することができる。
【０１０２】
上述した本発明の実施例は、様々な手段により具現可能である。例えば、本発明の実施例は、ハードウェア、ファームウェア、ソフトウェア、又はそれらの組み合わせなどによって具現可能である。 
【０１０３】
ハードウェアによる具現の場合、本発明の実施例による方法は、１又はそれ以上のASICs(特定用途向け集積回路)、DSPs(デジタルシグナルプロセッサ)、DSPDs(デジタルシグナル・プロセッシング装置)、PLDs(プログラム可能論理素子)、FPGAs(現場でプログラム可能なゲートアレイ)、プロセッサ、コントローラ、マイクロコントローラ、マイクロプロセッサなどによって具現可能である。
【０１０４】
ファームウェアやソフトウェアによる具現の場合、本発明の実施例による方法は、以上で説明した機能又は動作を行うモジュール、手続、又は関数などの形態で具現される。ソフトウェアコードは、メモリユニットに格納されて、プロセッサによって駆動される。前記メモリユニットは、前記プロセッサの内部又は外部に位置して、公知の様々な手段によって、前記プロセッサとデータを受け渡すことができる。
【０１０５】
上述したように開示された本発明の好適な実施例に対する詳細な説明は、当業者が本発明を具現して実施できるように提供されている。前記では、本発明の好適な実施例を参照して説明したが、当該技術の分野における熟練した当業者は、本発明の領域から逸脱しない範囲内で本発明を多様に修正及び変更可能であることを理解されるだろう。例えば、当業者は、上述した実施例に記載された各構成を組み合わせる方式で利用可能である。よって、本発明は、ここに現れた実施形態に制限されることではなく、ここで開示された原理及び新規の特徴と一致する最広の範囲を付与しようとすることである。
【０１０６】
本発明は、本発明の精神及び必須的な特徴を逸脱しない範囲で他の特定の形態に具体化することができる。よって、前記の詳細な説明は、あらゆる面で制限的に解析されてはいけなく、例示的なことと考えるべきである。本発明の範囲は、添付の請求項の合理的な解析によって決められるべきであり、本発明の等価範囲内でのあらゆる変更は、本発明の範囲に含まれる。本発明は、ここに示された実施形態に制限されることではなく、ここで開示された原理及び新規の特徴と一致する最広の範囲を付与しようとすることである。また、特許請求の範囲で明示的な引用関係がない請求項を結合して実施例を構成するか、出願後の補正によって、新たな請求項として含むことができる。
【図１】
2020528995.tif 000003
【図２】
2020528995.tif 000004
【図３】
2020528995.tif 000005
【図４】
2020528995.tif 000006
【図５】
2020528995.tif 000007
【図６】
2020528995.tif 000008
【図７ａ】
2020528995.tif 000009
【図７ｂ】
2020528995.tif 000010
【図７ｃ】
2020528995.tif 000011
【図８】
2020528995.tif 000012
【図９】
2020528995.tif 000013
【図１０】
2020528995.tif 000014
【図１１】
2020528995.tif 000015
【国際調査報告】
2020528995.tif 000016
2020528995.tif 000017
2020528995.tif 000018